(57)【要約】【課題】建物内に居る人へ安定して情報提供を行うことが可能な情報管理装置、ローカルネットワークシステム、情報管理方法および情報管理プログラムを提供する。【解決手段】情報管理装置は、建物内の内部ネットワークにおける通信状況に関する通信情報を取得する通信情報取得部と、前記建物外の外部ネットワークから情報を取得し、取得した情報を、前記内部ネットワークに接続された端末装置が前記外部ネットワークを介さずにアクセス可能な記憶装置、にローカル情報として保存する更新処理を行う情報更新部、による前記更新処理の開始を、前記通信情報取得部によって取得された前記通信情報に基づいて判断する更新判断部とを備える。【選択図】図１
2015104009.tif 000002
【特許請求の範囲】
【請求項１】
建物内の内部ネットワークにおける通信状況に関する通信情報を取得する通信情報取得部と、
前記建物外の外部ネットワークから情報を取得し、取得した情報を、前記内部ネットワークに接続された端末装置が前記外部ネットワークを介さずにアクセス可能な記憶装置、にローカル情報として保存する更新処理を行う情報更新部、による前記更新処理の開始を、前記通信情報取得部によって取得された前記通信情報に基づいて判断する更新判断部とを備える、情報管理装置。
【請求項２】
前記通信情報取得部は、前記内部ネットワークから前記外部ネットワークへのアクセスに関する通信情報を取得する、請求項１に記載の情報管理装置。
【請求項３】
前記更新判断部は、現在時刻および前記通信情報に基づいて、前記更新処理の開始を判断する、請求項１または請求項２に記載の情報管理装置。
【請求項４】
前記情報管理装置は、さらに、前記情報更新部を備え、
前記情報更新部は、所定の単語を含む情報を前記ローカル情報として前記記憶装置に優先的に保存する、請求項１から請求項３のいずれか１項に記載の情報管理装置。
【請求項５】
前記情報管理装置は、さらに、前記情報更新部を備え、
前記情報更新部は、前記端末装置からのアクセス数の多い情報を前記ローカル情報として前記記憶装置に優先的に保存する、請求項１から請求項４のいずれか１項に記載の情報管理装置。
【請求項６】
前記情報管理装置は、さらに、
前記端末装置から前記外部ネットワークへのアクセスを許可するか否かを判断するアクセス制御部を備える、請求項１から請求項５のいずれか１項に記載の情報管理装置。
【請求項７】
前記アクセス制御部は、前記端末装置から前記外部ネットワークへのアクセスを許可せず、かつ前記端末装置のアクセス対象となる対象情報が前記記憶装置に保存されている場合、前記記憶装置における前記対象情報を前記端末装置に取得させる処理を行う、請求項６に記載の情報管理装置。
【請求項８】
建物内の内部ネットワークにおける通信状況に関する通信情報を取得するネットワーク管理装置と、
前記建物外の外部ネットワークから情報を取得し、取得した情報を、前記内部ネットワークに接続された端末装置が前記外部ネットワークを介さずにアクセス可能な記憶装置、にローカル情報として保存する更新処理を行うローカル情報管理装置とを備え、
前記ネットワーク管理装置は、取得した前記通信情報に基づいて、前記更新処理の開始を指示するためのデータ更新開始要求を前記ローカル情報管理装置へ送信し、
前記ローカル情報管理装置は、前記データ更新開始要求を受信して、前記更新処理を開始する、ローカルネットワークシステム。
【請求項９】
情報管理装置における情報管理方法であって、
建物内の内部ネットワークにおける通信状況に関する通信情報を取得するステップと、
前記建物外の外部ネットワークから情報を取得し、取得した情報を、前記内部ネットワークに接続された端末装置が前記外部ネットワークを介さずにアクセス可能な記憶装置、にローカル情報として保存する更新処理の開始を、取得した前記通信情報に基づいて判断するステップとを含む、情報管理方法。
【請求項１０】
ネットワーク管理装置と、ローカル情報管理装置とを備えるローカルネットワークシステムにおける情報管理方法であって、
前記ネットワーク管理装置が、建物内の内部ネットワークにおける通信状況に関する通信情報を取得するステップと、
前記ネットワーク管理装置が、取得した前記通信情報に基づいて、データ更新開始要求を前記ローカル情報管理装置へ送信するステップと、
前記ローカル情報管理装置が、前記データ更新開始要求を受信して、前記建物外の外部ネットワークから情報を取得し、取得した情報を、前記内部ネットワークに接続された端末装置が前記外部ネットワークを介さずにアクセス可能な記憶装置、にローカル情報として保存する更新処理を開始するステップとを含む、情報管理方法。
【請求項１１】
情報管理装置において用いられる情報管理プログラムであって、
コンピュータに、
建物内の内部ネットワークにおける通信状況に関する通信情報を取得するステップと、
前記建物外の外部ネットワークから情報を取得し、取得した情報を、前記内部ネットワークに接続された端末装置が前記外部ネットワークを介さずにアクセス可能な記憶装置、にローカル情報として保存する更新処理の開始を、取得した前記通信情報に基づいて判断するステップとを実行させるための、情報管理プログラム。
【請求項１２】
ネットワーク管理装置と、ローカル情報管理装置とを備えるローカルネットワークシステムにおいて用いられる情報管理プログラムであって、
コンピュータに、
前記ネットワーク管理装置が、建物内の内部ネットワークにおける通信状況に関する通信情報を取得するステップと、
前記ネットワーク管理装置が、取得した前記通信情報に基づいて、データ更新開始要求を前記ローカル情報管理装置へ送信するステップと、
前記ローカル情報管理装置が、前記データ更新開始要求を受信して、前記建物外の外部ネットワークから情報を取得し、取得した情報を、前記内部ネットワークに接続された端末装置が前記外部ネットワークを介さずにアクセス可能な記憶装置、にローカル情報として保存する更新処理を開始するステップとを実行させるための、情報管理プログラム。
【発明の詳細な説明】
【技術分野】
【０００１】
本発明は、情報管理装置、ローカルネットワークシステム、情報管理方法および情報管理プログラムに関し、特に、建物外の外部ネットワークから取得された情報を建物内に居る人へ提供する情報管理装置、ローカルネットワークシステム、情報管理方法および情報管理プログラムに関する。
【背景技術】
【０００２】
従来、災害が発生した場合に被災地に居る人の安否情報を家族等へ伝えるための通信システムが提案されている。たとえば、特許文献１（特許第４６３８７５６号公報）には、以下のような技術が開示されている。すなわち、中央処理装置と、複数の基地局および複数の端末装置からなる情報通信システムであって、中央処理装置は、地域毎の災害状況を登録する被災状況データベースと、複数の基地局または複数の端末装置が位置する地区を登録した端末位置情報データベースおよび複数の端末装置の所有者が安否情報を送信する相手を設定する安否情報開示許可データベースを具える。災害発生時に中央処理装置は、被災状況データベースと端末位置情報データベースに基づいて送るべき安否情報の所有者の端末装置を選定し、選定された端末装置の該当地域の安否情報を安否情報開示許可データベースに基づいて安否情報の送信が許可されている相手に送信する。
【先行技術文献】
【特許文献】
【０００３】
【特許文献１】特許第４６３８７５６号公報
【発明の概要】
【発明が解決しようとする課題】
【０００４】
災害が発生した場合、被災地外の人が安否情報を必要とする一方で、被災地に居る人も交通インフラ等の各種情報を必要とする場合が多い。しかしながら、避難所等の限られた空間内に多くの人が集まり、これら多くの人がそれぞれ端末装置等を用いて外部ネットワークへアクセスする場合、避難所等の建物内に設けられた内部ネットワークにおいて輻輳が発生し、外部ネットワークへのアクセスが制限され、情報を取得することができない可能性がある。また、災害により通信設備が破損することもあり、避難所等の建物内に居る人への安定した情報提供が一層困難となることがある。
【０００５】
この発明は、上述の課題を解決するためになされたもので、その目的は、建物内に居る人へ安定して情報提供を行うことが可能な情報管理装置、ローカルネットワークシステム、情報管理方法および情報管理プログラムを提供することである。
【課題を解決するための手段】
【０００６】
（１）上記課題を解決するために、この発明のある局面に係る情報管理装置は、建物内の内部ネットワークにおける通信状況に関する通信情報を取得する通信情報取得部と、前記建物外の外部ネットワークから情報を取得し、取得した情報を、前記内部ネットワークに接続された端末装置が前記外部ネットワークを介さずにアクセス可能な記憶装置、にローカル情報として保存する更新処理を行う情報更新部、による前記更新処理の開始を、前記通信情報取得部によって取得された前記通信情報に基づいて判断する更新判断部とを備える。
【０００７】
（８）上記課題を解決するために、この発明のある局面に係るローカルネットワークシステムは、建物内の内部ネットワークにおける通信状況に関する通信情報を取得するネットワーク管理装置と、前記建物外の外部ネットワークから情報を取得し、取得した情報を、前記内部ネットワークに接続された端末装置が前記外部ネットワークを介さずにアクセス可能な記憶装置、にローカル情報として保存する更新処理を行うローカル情報管理装置とを備え、前記ネットワーク管理装置は、取得した前記通信情報に基づいて、前記更新処理の開始を指示するためのデータ更新開始要求を前記ローカル情報管理装置へ送信し、前記ローカル情報管理装置は、前記データ更新開始要求を受信して、前記更新処理を開始する。
【０００８】
（９）上記課題を解決するために、この発明のある局面に係る情報管理方法は、情報管理装置における情報管理方法であって、建物内の内部ネットワークにおける通信状況に関する通信情報を取得するステップと、前記建物外の外部ネットワークから情報を取得し、取得した情報を、前記内部ネットワークに接続された端末装置が前記外部ネットワークを介さずにアクセス可能な記憶装置、にローカル情報として保存する更新処理の開始を、取得した前記通信情報に基づいて判断するステップとを含む。
【０００９】
（１０）上記課題を解決するために、この発明の他の局面に係る情報管理方法は、ネットワーク管理装置と、ローカル情報管理装置とを備えるローカルネットワークシステムにおける情報管理方法であって、前記ネットワーク管理装置が、建物内の内部ネットワークにおける通信状況に関する通信情報を取得するステップと、前記ネットワーク管理装置が、取得した前記通信情報に基づいて、データ更新開始要求を前記ローカル情報管理装置へ送信するステップと、前記ローカル情報管理装置が、前記データ更新開始要求を受信して、前記建物外の外部ネットワークから情報を取得し、取得した情報を、前記内部ネットワークに接続された端末装置が前記外部ネットワークを介さずにアクセス可能な記憶装置、にローカル情報として保存する更新処理を開始するステップとを含む。
【００１０】
（１１）上記課題を解決するために、この発明のある局面に係る情報管理プログラムは、情報管理装置において用いられる情報管理プログラムであって、コンピュータに、建物内の内部ネットワークにおける通信状況に関する通信情報を取得するステップと、前記建物外の外部ネットワークから情報を取得し、取得した情報を、前記内部ネットワークに接続された端末装置が前記外部ネットワークを介さずにアクセス可能な記憶装置、にローカル情報として保存する更新処理の開始を、取得した前記通信情報に基づいて判断するステップとを実行させるためのプログラムである。
【００１１】
（１２）上記課題を解決するために、この発明の他の局面に係る情報管理プログラムは、ネットワーク管理装置と、ローカル情報管理装置とを備えるローカルネットワークシステムにおいて用いられる情報管理プログラムであって、コンピュータに、前記ネットワーク管理装置が、建物内の内部ネットワークにおける通信状況に関する通信情報を取得するステップと、前記ネットワーク管理装置が、取得した前記通信情報に基づいて、データ更新開始要求を前記ローカル情報管理装置へ送信するステップと、前記ローカル情報管理装置が、前記データ更新開始要求を受信して、前記建物外の外部ネットワークから情報を取得し、取得した情報を、前記内部ネットワークに接続された端末装置が前記外部ネットワークを介さずにアクセス可能な記憶装置、にローカル情報として保存する更新処理を開始するステップとを実行させるためのプログラムである。
【００１２】
本発明は、このような特徴的な処理部を備える情報管理装置として実現することができるだけでなく、情報管理装置の一部または全部を実現する半導体集積回路として実現することができる。
【００１３】
また、本発明は、このような特徴的な処理部を備えるローカルネットワークシステムとして実現することができるだけでなく、ローカルネットワークシステムの一部または全部を実現する半導体集積回路として実現することができる。
【発明の効果】
【００１４】
本発明によれば、建物内に居る人へ安定して情報提供を行うことができる。
【図面の簡単な説明】
【００１５】
【図１】図１は、本発明の実施の形態に係るローカルネットワークシステムの構成を示す図である。
【図２】図２は、本発明の実施の形態に係るローカルネットワークシステムにおけるネットワーク管理サーバの構成を示す図である。
【図３】図３は、本発明の実施の形態に係るローカルネットワークシステムにおけるローカル情報管理サーバの構成を示す図である。
【図４】図４は、本発明の実施の形態に係るローカルネットワークシステムにおける、無線端末装置から外部ネットワークへのアクセスを制御する際の動作手順を示すシーケンス図である。
【図５】図５は、本発明の実施の形態に係るローカルネットワークシステムにおける、ローカル情報の更新処理の開始を判断する際の動作手順を示すシーケンス図である。
【図６】図６は、本発明の実施の形態に係るローカルネットワークシステムにおける、ローカル情報の更新処理の開始を判断する際の動作手順（変形例１）を示すシーケンス図である。
【図７】図７は、本発明の実施の形態に係るローカルネットワークシステムにおける、ローカル情報の更新処理の開始を判断する際の動作手順（変形例２）を示すシーケンス図である。
【図８】図８は、本発明の実施の形態に係るローカルネットワークシステムのローカル情報管理サーバにおけるテーブル記憶部に記憶されているテーブルの一例を示す図である。
【図９】図９は、ローカル情報管理サーバによる更新処理の動作手順の一例を示すシーケンス図である。
【図１０】図１０は、本発明の実施の形態に係るローカルネットワークシステムのローカル情報管理サーバにおけるテーブル記憶部に記憶されているテーブルの一例を示す図である。
【図１１】図１１は、本発明の実施の形態に係るローカルネットワークシステムのローカル情報管理サーバにおけるテーブル記憶部に記憶されているテーブルの一例を示す図である。
【図１２】図１２は、ローカル情報管理サーバによる更新処理の動作手順の一例を示すシーケンス図である。
【発明を実施するための形態】
【００１６】
最初に、本発明の実施形態の内容を列記して説明する。
【００１７】
（１）本発明の実施の形態に係る情報管理装置は、建物内の内部ネットワークにおける通信状況に関する通信情報を取得する通信情報取得部と、前記建物外の外部ネットワークから情報を取得し、取得した情報を、前記内部ネットワークに接続された端末装置が前記外部ネットワークを介さずにアクセス可能な記憶装置、にローカル情報として保存する更新処理を行う情報更新部、による前記更新処理の開始を、前記通信情報取得部によって取得された前記通信情報に基づいて判断する更新判断部とを備える。
【００１８】
このように、外部ネットワークから取得された情報をローカル情報として記憶装置に保存しておく構成により、外部ネットワークへのアクセスが制限されている状況であっても、記憶装置に保存された情報を建物内に居る人へ提供することができる。また、記憶装置に保存される情報が更新される構成により、災害の状況を示す情報等、時系列的に変化する可能性のある情報を建物内に居る人へ提供することができる。
【００１９】
さらに、上記通信情報に基づいて更新処理の開始を判断する構成により、内部ネットワークにおける通信状況に応じた適切なタイミングで更新処理を開始することができるため、内部ネットワークの通信の安定化を図り、建物内に居る人へ安定して情報提供を行うことができる。
【００２０】
（２）好ましくは、前記通信情報取得部は、前記内部ネットワークから前記外部ネットワークへのアクセスに関する通信情報を取得する。
【００２１】
このような構成により、たとえば、内部ネットワークに接続されている端末装置から外部ネットワークへのアクセスを優先し、このようなアクセスの通信量が少ないときに更新処理を行うことにより、建物内に居る人の外部ネットワークへのアクセスが更新処理に起因して制限されることを防ぐことができる。
【００２２】
（３）好ましくは、前記更新判断部は、現在時刻および前記通信情報に基づいて、前記更新処理の開始を判断する。
【００２３】
このように、通信情報に加えて現在時刻を用いて更新処理の開始を判断する構成により、一時的に通信量が少なくなっただけの状況において更新処理が開始されることを避け、夜間など通信量が継続的に少ない時間帯に更新処理を行うことができる。
【００２４】
（４）好ましくは、前記情報管理装置は、さらに、前記情報更新部を備え、前記情報更新部は、所定の単語を含む情報を前記ローカル情報として前記記憶装置に優先的に保存する。
【００２５】
このような構成により、必要性の高い情報を優先的に記憶装置に保存しておくことができる。また、関連性の高い単語を含む各種情報を外部ネットワークからまとめて受信し、記憶装置へ保存しておくことができる。
【００２６】
（５）好ましくは、前記情報管理装置は、さらに、前記情報更新部を備え、前記情報更新部は、前記端末装置からのアクセス数の多い情報を前記ローカル情報として前記記憶装置に優先的に保存する。
【００２７】
このような構成により、建物内の人が実際に取得している情報を必要性の高い情報として優先的に記憶装置に保存しておくことができる。
【００２８】
（６）好ましくは、前記情報管理装置は、さらに、前記端末装置から前記外部ネットワークへのアクセスを許可するか否かを判断するアクセス制御部を備える。
【００２９】
このような構成により、内部ネットワークにおける通信量および更新処理の最適な制御が可能となる。
【００３０】
（７）より好ましくは、前記アクセス制御部は、前記端末装置から前記外部ネットワークへのアクセスを許可せず、かつ前記端末装置のアクセス対象となる対象情報が前記記憶装置に保存されている場合、前記記憶装置における前記対象情報を前記端末装置に取得させる処理を行う。
【００３１】
このような構成により、たとえば更新処理中であるために外部ネットワークへのアクセスが許可されなかった端末装置であっても、アクセス対象である対象情報を取得することができる。
【００３２】
（８）本発明の実施の形態に係るローカルネットワークシステムは、建物内の内部ネットワークにおける通信状況に関する通信情報を取得するネットワーク管理装置と、前記建物外の外部ネットワークから情報を取得し、取得した情報を、前記内部ネットワークに接続された端末装置が前記外部ネットワークを介さずにアクセス可能な記憶装置、にローカル情報として保存する更新処理を行うローカル情報管理装置とを備え、前記ネットワーク管理装置は、取得した前記通信情報に基づいて、前記更新処理の開始を指示するためのデータ更新開始要求を前記ローカル情報管理装置へ送信し、前記ローカル情報管理装置は、前記データ更新開始要求を受信して、前記更新処理を開始する。
【００３３】
このように、外部ネットワークから取得された情報をローカル情報として記憶装置に保存しておく構成により、外部ネットワークへのアクセスが制限されている状況であっても、記憶装置に保存された情報を建物内に居る人へ提供することができる。また、記憶装置に保存される情報が更新される構成により、災害の状況を示す情報等、時系列的に変化する可能性のある情報を建物内に居る人へ提供することができる。
【００３４】
さらに、上記通信情報に基づいて更新処理の開始を判断する構成により、内部ネットワークにおける通信状況に応じた適切なタイミングで更新処理を開始することができるため、内部ネットワークの通信の安定化を図り、建物内に居る人へ安定して情報提供を行うことができる。
【００３５】
（９）本発明の実施の形態に係る情報管理方法は、情報管理装置における情報管理方法であって、建物内の内部ネットワークにおける通信状況に関する通信情報を取得するステップと、前記建物外の外部ネットワークから情報を取得し、取得した情報を、前記内部ネットワークに接続された端末装置が前記外部ネットワークを介さずにアクセス可能な記憶装置、にローカル情報として保存する更新処理の開始を、取得した前記通信情報に基づいて判断するステップとを含む。
【００３６】
このように、外部ネットワークから取得された情報をローカル情報として記憶装置に保存しておくことにより、外部ネットワークへのアクセスが制限されている状況であっても、記憶装置に保存された情報を建物内に居る人へ提供することができる。また、記憶装置に保存される情報が更新されることにより、災害の状況を示す情報等、時系列的に変化する可能性のある情報を建物内に居る人へ提供することができる。
【００３７】
さらに、上記通信情報に基づいて更新処理の開始を判断することにより、内部ネットワークにおける通信状況に応じた適切なタイミングで更新処理を開始することができるため、内部ネットワークの通信の安定化を図り、建物内に居る人へ安定して情報提供を行うことができる。
【００３８】
（１０）本発明の実施の形態に係る情報管理方法は、ネットワーク管理装置と、ローカル情報管理装置とを備えるローカルネットワークシステムにおける情報管理方法であって、前記ネットワーク管理装置が、建物内の内部ネットワークにおける通信状況に関する通信情報を取得するステップと、前記ネットワーク管理装置が、取得した前記通信情報に基づいて、データ更新開始要求を前記ローカル情報管理装置へ送信するステップと、前記ローカル情報管理装置が、前記データ更新開始要求を受信して、前記建物外の外部ネットワークから情報を取得し、取得した情報を、前記内部ネットワークに接続された端末装置が前記外部ネットワークを介さずにアクセス可能な記憶装置、にローカル情報として保存する更新処理を開始するステップとを含む。
【００３９】
このように、外部ネットワークから取得された情報をローカル情報として記憶装置に保存しておくことにより、外部ネットワークへのアクセスが制限されている状況であっても、記憶装置に保存された情報を建物内に居る人へ提供することができる。また、記憶装置に保存される情報が更新されることにより、災害の状況を示す情報等、時系列的に変化する可能性のある情報を建物内に居る人へ提供することができる。
【００４０】
さらに、上記通信情報に基づいて更新処理の開始を判断することにより、内部ネットワークにおける通信状況に応じた適切なタイミングで更新処理を開始することができるため、内部ネットワークの通信の安定化を図り、建物内に居る人へ安定して情報提供を行うことができる。
【００４１】
（１１）本発明の実施の形態に係る情報管理プログラムは、情報管理装置において用いられる情報管理プログラムであって、コンピュータに、建物内の内部ネットワークにおける通信状況に関する通信情報を取得するステップと、前記建物外の外部ネットワークから情報を取得し、取得した情報を、前記内部ネットワークに接続された端末装置が前記外部ネットワークを介さずにアクセス可能な記憶装置、にローカル情報として保存する更新処理の開始を、取得した前記通信情報に基づいて判断するステップとを実行させるためのプログラムである。
【００４２】
このように、外部ネットワークから取得された情報をローカル情報として記憶装置に保存しておくことにより、外部ネットワークへのアクセスが制限されている状況であっても、記憶装置に保存された情報を建物内に居る人へ提供することができる。また、記憶装置に保存される情報が更新されることにより、災害の状況を示す情報等、時系列的に変化する可能性のある情報を建物内に居る人へ提供することができる。
【００４３】
さらに、上記通信情報に基づいて更新処理の開始を判断することにより、内部ネットワークにおける通信状況に応じた適切なタイミングで更新処理を開始することができるため、内部ネットワークの通信の安定化を図り、建物内に居る人へ安定して情報提供を行うことができる。
【００４４】
（１２）本発明の実施の形態に係る情報管理プログラムは、ネットワーク管理装置と、ローカル情報管理装置とを備えるローカルネットワークシステムにおいて用いられる情報管理プログラムであって、コンピュータに、前記ネットワーク管理装置が、建物内の内部ネットワークにおける通信状況に関する通信情報を取得するステップと、前記ネットワーク管理装置が、取得した前記通信情報に基づいて、データ更新開始要求を前記ローカル情報管理装置へ送信するステップと、前記ローカル情報管理装置が、前記データ更新開始要求を受信して、前記建物外の外部ネットワークから情報を取得し、取得した情報を、前記内部ネットワークに接続された端末装置が前記外部ネットワークを介さずにアクセス可能な記憶装置、にローカル情報として保存する更新処理を開始するステップとを実行させるためのプログラムである。
【００４５】
このように、外部ネットワークから取得された情報をローカル情報として記憶装置に保存しておくことにより、外部ネットワークへのアクセスが制限されている状況であっても、記憶装置に保存された情報を建物内に居る人へ提供することができる。また、記憶装置に保存される情報が更新されることにより、災害の状況を示す情報等、時系列的に変化する可能性のある情報を建物内に居る人へ提供することができる。
【００４６】
さらに、上記通信情報に基づいて更新処理の開始を判断することにより、内部ネットワークにおける通信状況に応じた適切なタイミングで更新処理を開始することができるため、内部ネットワークの通信の安定化を図り、建物内に居る人へ安定して情報提供を行うことができる。
【００４７】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４８】
［構成および基本動作］
（ローカルネットワークシステムの構成）
図１は、本発明の実施の形態に係るローカルネットワークシステムの構成を示す図である。
【００４９】
図１を参照して、ローカルネットワークシステム３０１は、たとえば避難所に利用されている建物６０１に設置されている。ローカルネットワークシステム３０１は、ネットワーク管理サーバ（ネットワーク管理装置または情報管理装置）１０１と、ローカル情報管理サーバ（ローカル情報管理装置）１０３と、ゲートウェイ１０４と、記憶装置１０５と、内部ネットワーク４０１とを備える。内部ネットワーク４０１は、複数のアクセスポイント１５１と、図示しないハブおよびルータ等とを含む。
【００５０】
ネットワーク管理サーバ１０１、ローカル情報管理サーバ１０３およびゲートウェイ１０４は、内部ネットワーク４０１に接続され、互いに通信可能である。
【００５１】
ゲートウェイ１０４は、内部ネットワーク４０１および外部ネットワーク４０２間の通信データを中継する。アクセスポイント１５１は、ＩＥＥＥ８０２．１１で規格化された無線ＬＡＮシステムのアクセスポイントであり、内部ネットワーク４０１に接続された各装置と通信可能である。
【００５２】
無線端末装置１６２は、スマートフォンおよびタブレット等の携帯情報端末であり、ＩＥＥＥ８０２．１１規格に従い、たとえばＩＳＭバンド（Ｉｎｄｕｓｔｒｙ  Ｓｃｉｅｎｃｅ  Ｍｅｄｉｃａｌ  ｂａｎｄ）である２．４ＧＨｚ帯のアクセスポイント１５１と無線信号を送受信することにより、アクセスポイント１５１、ならびにアクセスポイント１５１経由で内部ネットワーク４０１に接続された他の装置および外部ネットワーク４０２に接続された他の装置と通信可能である。無線端末装置１６２は、複数のアクセスポイント１５１のうちのいずれかを選択して通信可能である。
【００５３】
無線端末装置１６２は、たとえばＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式を採用し、他の無線端末装置１６２が無線信号を送信しているか否かを判断し、他の無線端末装置１６２が無線信号を送信していないと判断した場合に、送信すべき情報を含む無線信号をアクセスポイント１５１へ送信する。
【００５４】
ネットワーク管理サーバ１０１は、無線端末装置１６２等による内部ネットワーク４０１および外部ネットワーク４０２間の通信を制御する。具体的には、ネットワーク管理サーバ１０１は、プロキシ、ＤＮＳ（Ｄｏｍａｉｎ  Ｎａｍｅ  Ｓｙｓｔｅｍ）またはゲートウェイ等の機能を有し、内部ネットワーク４０１において発生する外部ネットワーク４０２へのアクセスを一元的に管理する。
【００５５】
内部ネットワーク４０１に接続された無線端末装置１６２、すなわち内部ネットワーク４０１におけるアクセスポイント１５１との通信接続を確立した無線端末装置１６２は、外部ネットワーク４０２へアクセスするために、ネットワーク管理サーバ１０１にＩＰアドレス等を問い合わせるか、またはＩＰパケット等の送信先としてネットワーク管理サーバ１０１を指定する。
【００５６】
これにより、ネットワーク管理サーバ１０１は、内部ネットワーク４０１において発生する通信量を制御することが可能になる。具体的には、ネットワーク管理サーバ１０１は、無線端末装置１６２から要求される外部ネットワーク４０２へのアクセスに対して、当該アクセスを許可するか、あるいは、当該アクセスを許可せず、たとえば記憶装置１０５へのアクセスにとどめるかを決定する。
【００５７】
ローカル情報管理サーバ１０３は、外部ネットワーク４０２に接続された記憶装置５０１等における外部データを、外部ネットワーク４０２、またはＵＳＢ（Ｕｎｉｖｅｒｓａｌ  Ｓｅｒｉａｌ  Ｂｕｓ）メモリ等の何らかの記憶媒体を経由して取得し、記憶装置１０５に保存する。すなわち、記憶装置１０５の保存情報の更新方法には、外部ネットワーク４０２経由でデータを取得する方法と、ＵＳＢメモリ等に格納されて人手により運ばれてきたデータを手動で保存する方法とがある。
【００５８】
記憶装置１０５は、ローカル情報管理サーバ１０３を介して内部ネットワーク４０１に接続され、建物６０１内において作成される情報、および建物６０１外において作成される情報をローカル情報として保存する。
【００５９】
避難所である建物６０１内において作成される情報には、たとえば、設備の位置および使用ルール等、避難所内で共有したい情報と、避難者からの要望リストと、安否確認用の情報となる避難者の名称および住所等とがある。また、避難所である建物６０１外において作成される情報には、たとえば、Ｗｅｂサイトおよび新聞に掲載されたニュースと、他の避難所における安否確認用の情報とがある。
【００６０】
なお、ローカルネットワークシステム３０１は、ネットワーク管理サーバ１０１を情報管理装置として備える構成に限らず、ネットワーク管理サーバ１０１およびローカル情報管理サーバ１０３が一体化された装置を情報管理装置として備える構成であってもよい。また、ローカルネットワークシステム３０１は、ネットワーク管理サーバ１０１およびゲートウェイ１０４が一体化された装置を情報管理装置として備える構成であってもよい。
【００６１】
さらに、ローカルネットワークシステム３０１は、ネットワーク管理サーバ１０１、ローカル情報管理サーバ１０３およびゲートウェイ１０４が一体化された装置を情報管理装置として備える構成であってもよい。
【００６２】
また、ローカル情報管理サーバ１０３は、記憶装置１０５を含む構成であってもよい。  また、ローカル情報管理サーバ１０３および記憶装置１０５は、建物６０１において常時設置されていなくてもよく、災害発生後、建物６０１が避難所として用いられる場合に設置されてもよい。
【００６３】
また、アクセスポイント１５１および無線端末装置１６２は、ＩＥＥＥ８０２．１１に限らず、ＺｉｇＢｅｅ（登録商標）およびＢｌｕｅｔｏｏｔｈ（登録商標）等、他の通信規格に従って無線通信が可能な装置であってもよい。
【００６４】
また、建物６０１内において用いられる端末装置は、無線端末装置１６２に限らず、内部ネットワーク４０１に接続された他の装置と通信可能であり、内部ネットワーク４０１を介して外部ネットワーク４０２に接続された他の装置と通信可能であれば、有線通信を行う端末装置であってもよい。
【００６５】
（ネットワーク管理サーバの構成）
図２は、本発明の実施の形態に係るローカルネットワークシステムにおけるネットワーク管理サーバの構成を示す図である。
【００６６】
図２を参照して、ネットワーク管理サーバ１０１は、通信情報取得部２１と、アクセス制御部２２と、更新判断部２３とを含む。
【００６７】
（ａ）通信情報取得部
通信情報取得部２１は、内部ネットワーク４０１に接続された無線端末装置１６２から、外部ネットワーク４０２への接続要求をアクセスポイント１５１経由で受信する。この接続要求は、たとえば外部ネットワーク４０２へアクセスするためのＩＰアドレス等の問い合わせであり、たとえばＩＰパケットに含まれている。そして、通信情報取得部２１は、受信した接続要求をアクセス制御部２２へ出力する。
【００６８】
通信情報取得部２１は、無線端末装置１６２から受信した接続要求等に基づいて、ローカルネットワークシステム３０１における通信状況に関する通信情報を取得する。
【００６９】
具体的には、通信情報取得部２１は、内部ネットワーク４０１に接続された各無線端末装置１６２から外部ネットワーク４０２へのアクセスに関する情報、たとえば単位時間当たりの総アクセス数（以下、単に「外部ネットワーク４０２への総アクセス数」とも称する）を通信情報として取得する。そして、通信情報取得部２１は、取得した通信情報をアクセス制御部２２および更新判断部２３へ出力する。
【００７０】
なお、通信情報取得部２１は、内部ネットワーク４０１に接続された各無線端末装置１６２から外部ネットワーク４０２への総アクセス数に限らず、ローカルネットワークシステム３０１における通信状況に関する種々の情報を通信情報として取得することができる。たとえば、通信情報取得部２１は、ローカルネットワークシステム３０１における各装置から外部ネットワーク４０２へのアクセス数の総数を通信情報として取得することができる。
【００７１】
また、たとえば、通信情報取得部２１は、外部ネットワーク４０２に接続されたサーバ等の他の装置（以下、単に「外部ネットワーク４０２」とも称する）から内部ネットワーク４０１へ送信されたデータの容量等の通信量を通信情報として取得することもできる。
【００７２】
（ｂ）アクセス制御部
アクセス制御部２２は、通信情報取得部２１によって取得された通信情報に基づいて、接続要求を送信した無線端末装置１６２の外部ネットワーク４０２へのアクセスを制御する。すなわち、アクセス制御部２２は、無線端末装置１６２の外部ネットワーク４０２へのアクセスを許可するか、あるいは、当該アクセスを許可せず、たとえば記憶装置１０５へのアクセスにとどめるかを判断する。
【００７３】
たとえば、アクセス制御部２２は、通信情報の示す外部ネットワーク４０２への総アクセス数が閾値未満である場合、接続要求を送信した無線端末装置１６２の外部ネットワーク４０２へのアクセスを許可する。そして、アクセス制御部２２は、当該接続要求を、ゲートウェイ１０４を介して外部ネットワーク４０２へ送信する。
【００７４】
一方、アクセス制御部２２は、通信情報の示す外部ネットワーク４０２への総アクセス数が閾値以上である場合、接続要求を送信した無線端末装置１６２の外部ネットワーク４０２へのアクセスを許可せず、たとえば記憶装置１０５へのアクセスにとどめる。そして、アクセス制御部２２は、当該接続要求をローカル情報管理サーバ１０３へ送信する。
【００７５】
また、アクセス制御部２２は、無線端末装置１６２と外部ネットワーク４０２との通信接続が確立された場合であって、外部ネットワーク４０２から無線端末装置１６２へデータが送信されると、当該データをゲートウェイ１０４経由で受信する。そして、アクセス制御部２２は、受信した当該データを、アクセスポイント１５１経由で無線端末装置１６２へ送信する。
【００７６】
なお、アクセス制御部２２は、外部ネットワーク４０２への総アクセス数を示す通信情報だけでなく、他の種類の通信情報に基づいて、無線端末装置１６２の外部ネットワーク４０２へのアクセスを制御してもよい。
【００７７】
たとえば、アクセス制御部２２は、通信情報が外部ネットワーク４０２の通信回線における通信速度を示す場合、当該通信速度に基づいて、外部ネットワーク４０２へアクセスする無線端末装置１６２の数を制限する。
【００７８】
また、たとえば、アクセス制御部２２は、通信情報が無線端末装置１６２により指定されたアクセス先を示す場合、当該アクセス先に基づいて無線端末装置１６２によるアクセスの緊急性または重要度を推定し、推定した緊急性または重要度の高いアクセスを優先するＱｏＳ（Ｑｕａｌｉｔｙ  ｏｆ  Ｓｅｒｖｉｃｅ）処理を行う。
【００７９】
また、たとえば、アクセス制御部２２は、通信情報の示す対象情報、すなわち無線端末装置１６２のアクセス対象となる対象情報が記憶装置１０５に保存されているか否かを確認し、保存されている場合には、当該無線端末装置１６２のアクセス先をローカル情報管理サーバ１０３として、当該対象情報をローカル情報管理サーバ１０３経由で無線端末装置１６２に取得させる。
【００８０】
また、アクセス制御部２２は、通信情報に基づく制御に限らず、たとえば、予め登録されている種類の無線端末装置１６２が他の無線端末装置１６２よりも優先的に外部ネットワーク４０２へ接続されるようにアクセスを制御するなど、無線端末装置１６２の種類に応じてアクセスを制御してもよい。
【００８１】
また、たとえば、アクセス制御部２２は、現在時刻が昼間の時間帯である場合には無線端末装置１６２から外部ネットワーク４０２へのアクセスの制限を強化し、現在時刻が夜間の時間帯である場合には当該アクセスの制限を緩和する。
【００８２】
また、アクセス制御部２２は、外部ネットワーク４０２へのアクセス数、外部ネットワーク４０２の通信回線における通信速度、無線端末装置１６２により指定されたアクセス先、無線端末装置１６２のアクセス対象となる対象情報の記憶装置１０５における保存の有無、無線端末装置１６２の種類、および、現在時刻等を総合的に判断して、無線端末装置１６２から外部ネットワーク４０２へのアクセスを制御することも可能である。
【００８３】
（ｃ）更新判断部
更新判断部２３は、通信情報取得部２１により取得された通信情報に基づいて、外部ネットワーク４０２経由で取得したデータによるローカル情報の更新処理の開始を判断する。たとえば、更新判断部２３は、通信情報取得部２１により取得された通信情報の示す外部ネットワーク４０２への総アクセス数が閾値未満である場合、ローカル情報の更新処理を開始することを決定し、更新処理の開始を指示するためのデータ更新開始要求をローカル情報管理サーバ１０３へ送信する。
【００８４】
また、更新判断部２３は、通信情報取得部２１により通信情報の示す外部ネットワーク４０２への総アクセス数が閾値以上である場合であって、かつローカル情報の更新処理が行われている場合、ローカル情報の更新処理を終了することを決定し、更新処理の終了を指示するためのデータ更新終了要求をローカル情報管理サーバ１０３へ送信する。
【００８５】
なお、更新判断部２３は、外部ネットワーク４０２への総アクセス数を示す通信情報だけでなく、現在時刻等、他の情報に基づいて更新処理の開始を判断することも可能である。
【００８６】
（ローカル情報管理サーバの構成）
図３は、本発明の実施の形態に係るローカルネットワークシステムにおけるローカル情報管理サーバの構成を示す図である。
【００８７】
図３を参照して、ローカル情報管理サーバ１０３は、情報提供部３１と、テーブル記憶部３２と、情報更新部３３とを含む。
【００８８】
情報提供部３１は、たとえば、建物６０１内に居る人が検索した単語、すなわちキーワードを、自己のローカル情報管理サーバ１０３と通信接続を確立した無線端末装置１６２から、アクセスポイント１５１およびネットワーク管理サーバ１０１経由で受信する。そして、情報提供部３１は、受信した当該キーワードを含む対象情報を、自己のローカル情報管理サーバ１０３に接続された記憶装置１０５から読み出し、読み出した対象情報をアクセスポイント１５１経由で当該無線端末装置１６２へ送信する。
【００８９】
テーブル記憶部３２は、自己のローカル情報管理サーバ１０３と通信接続を確立した各無線端末装置１６２から送信されるキーワードを情報提供部３１から受けて、テーブルに記憶する。たとえば、当該テーブルには、建物６０１内に居る人が検索した複数のキーワードのうち、検索数が所定数以上のキーワードが含まれており、当該テーブルに含まれる各キーワードには、検索数の多い順に従って優先度が付与されている。
【００９０】
なお、テーブル記憶部３２は、ローカルネットワークシステム３０１の管理者等によって予め生成されたテーブルを記憶していてもよい。
【００９１】
情報更新部３３は、ネットワーク管理サーバ１０１からデータ更新開始要求を受信すると、外部ネットワーク４０２から外部データを受信して、記憶装置１０５に記憶されているローカル情報の更新処理を開始する。このとき、情報更新部３３は、テーブル記憶部３２に記憶されているテーブルを参照し、当該テーブルに含まれているキーワードのうち優先度が高いキーワードを含む情報ほどローカル情報として記憶装置１０５に優先的に保存されるように更新処理を行う。そして、情報更新部３３は、テーブルに含まれる全てのキーワードについての記憶装置１０５への保存を完了すると、更新処理を終了する。
【００９２】
なお、情報更新部３３は、テーブルに含まれる全てのキーワードについての記憶装置１０５への保存を完了する前であっても、記憶装置１０５の記憶容量が上限値に達した場合、または、ネットワーク管理サーバ１０１の更新判断部２３からデータ更新終了要求を受信した場合は、ローカル情報の更新処理を終了する。このため、テーブルに含まれているキーワードであっても、当該キーワードが含まれる情報が記憶装置１０５に保存されない場合がある。
【００９３】
［動作］
次に、本発明の実施の形態に係るローカルネットワークシステム３０１の動作について説明する。
【００９４】
ローカルネットワークシステム３０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００９５】
（ａ）アクセス制御処理
図４は、本発明の実施の形態に係るローカルネットワークシステムにおける、無線端末装置から外部ネットワークへのアクセスを制御する際の動作手順を示すシーケンス図である。
【００９６】
図４を参照して、まず、無線端末装置１６２が、外部ネットワーク４０２へアクセスするための接続要求をネットワーク管理サーバ１０１へ送信すると（ステップＳ１１）、ネットワーク管理サーバ１０１は、当該無線端末装置１６２から外部ネットワーク４０２へのアクセスを許可するか否かを判断する（ステップＳ１２）。
【００９７】
たとえば、ネットワーク管理サーバ１０１は、当該無線端末装置１６２から接続要求を受信したタイミングにおけるローカルネットワークシステム３０１の通信状況に関する通信情報を取得する。そして、ネットワーク管理サーバ１０１は、たとえば通信情報の示す外部ネットワーク４０２への総アクセス数が閾値未満である場合、上記接続要求の送信元である無線端末装置１６２から外部ネットワーク４０２へのアクセスを許可する。
【００９８】
そして、ネットワーク管理サーバ１０１は、無線端末装置１６２から外部ネットワーク４０２へのアクセスを許可すると（ステップＳ１２で「ＹＥＳ」）、当該無線端末装置１６２から送信された接続要求を、ゲートウェイ１０４を介して外部ネットワーク４０２へ送信する（ステップＳ１３）。
【００９９】
次に、外部ネットワーク４０２は、ネットワーク管理サーバ１０１から受信した接続要求に対する接続応答を、ゲートウェイ１０４を介してネットワーク管理サーバ１０１へ送信する（ステップＳ１４）。
【０１００】
そして、ネットワーク管理サーバ１０１は、外部ネットワーク４０２から受信した接続応答を、アクセスポイント１５１を介して無線端末装置１６２へ送信する（ステップＳ１５）。
【０１０１】
このようにして、無線端末装置１６２と外部ネットワーク４０２との通信接続が確立された状態において、建物６０１内に居る人が当該無線端末装置１６２を用いてキーワード等の指定を行うと、当該無線端末装置１６２は、外部ネットワーク４０２に接続されている記憶装置５０１から、当該キーワードを含む対象情報を外部ネットワーク４０２、ゲートウェイ１０４、ネットワーク管理装置１０１およびアクセスポイント１５１経由で受信する。
【０１０２】
一方、ネットワーク管理サーバ１０１は、たとえば通信情報の示す外部ネットワーク４０２への総アクセス数が閾値以上であることにより、無線端末装置１６２から外部ネットワーク４０２へのアクセスを許可しない場合（ステップＳ１２で「ＮＯ」）、当該無線端末装置１６２から送信された接続要求をローカル情報管理サーバ１０３へ送信する（ステップＳ１６）。
【０１０３】
次に、ローカル情報管理サーバ１０３は、ネットワーク管理サーバ１０１から受信した接続要求に対する接続応答を、当該無線端末装置１６２へ送信する（ステップＳ１７）。このようにして、無線端末装置１６２とローカル情報管理サーバ１０３との通信接続が確立された状態において、建物６０１内に居る人が当該無線端末装置１６２を用いてキーワード等の指定を行うと、当該無線端末装置１６２は、ローカル情報管理サーバ１０３に接続されている記憶装置１０５から、当該キーワードを含む対象情報をローカル情報管理サーバ１０３およびアクセスポイント１５１経由で受信する。
【０１０４】
なお、ローカル情報管理サーバ１０３は、無線端末装置１６２により指定されたキーワードを含む対象情報が記憶装置１０５に記憶されていない場合、たとえば、エラー通知を無線端末装置１６２へ送信する。
【０１０５】
（ｂ−１）更新処理の開始判断処理
図５は、本発明の実施の形態に係るローカルネットワークシステムにおける、ローカル情報の更新処理の開始を判断する際の動作手順を示すシーケンス図である。
【０１０６】
図５を参照して、まず、ネットワーク管理サーバ１０１は、内部ネットワーク４０１における通信状況に関する通信情報を取得する（ステップＳ２１）。
【０１０７】
次に、ネットワーク管理サーバ１０１は、たとえば、取得した通信情報の示す外部ネットワーク４０２への総アクセス数が閾値未満であるか否かを確認する（ステップＳ２２）。そして、ネットワーク管理サーバ１０１は、外部ネットワーク４０２への総アクセス数が閾値未満である場合（ステップＳ２２で「ＹＥＳ」）、ローカル情報の更新処理中であるか否かを確認する（ステップＳ２３）。
【０１０８】
そして、ネットワーク管理サーバ１０１は、ローカル情報の更新処理中ではない場合（ステップＳ２３で「ＮＯ」）、更新処理を開始することを決定し、データ更新開始要求をローカル情報管理サーバ１０３へ送信する（ステップＳ２４）。
【０１０９】
次に、ローカル情報管理サーバ１０３は、ネットワーク管理サーバ１０１からデータ更新開始要求を受信すると、ゲートウェイ１０４経由で外部ネットワーク４０２からデータを受信し、受信したデータを記憶装置１０５に保存する更新処理を行う（ステップＳ２５）。
【０１１０】
一方、ネットワーク管理サーバ１０１は、外部ネットワーク４０２への総アクセス数が閾値未満の場合であって（ステップＳ２２で「ＹＥＳ」）、ローカル情報の更新処理中であるとき（ステップＳ２３で「ＹＥＳ」）、次の通信情報を取得するまで待機する（ステップＳ２１）。
【０１１１】
また、ネットワーク管理サーバ１０１は、外部ネットワーク４０２への総アクセス数が閾値以上である場合（ステップＳ２２で「ＮＯ」）、ローカル情報の更新処理中であるか否かを確認する（ステップＳ２６）。
【０１１２】
そして、ネットワーク管理サーバ１０１は、ローカル情報の更新処理中である場合（ステップＳ２６で「ＹＥＳ」）、更新処理を終了することを決定し、データ更新終了要求をローカル情報管理サーバ１０３へ送信する（ステップＳ２７）。
【０１１３】
次に、ローカル情報管理サーバ１０３は、ネットワーク管理サーバ１０１からデータ更新終了要求を受信すると、ローカル情報の更新処理を終了する（ステップＳ２８）。
【０１１４】
一方、ネットワーク管理サーバ１０１は、ローカル情報の更新処理中ではない場合（ステップＳ２６で「ＮＯ」）、次の通信情報を取得するまで待機する（ステップＳ２１）。
【０１１５】
なお、ネットワーク管理サーバ１０１は、ローカル情報の更新処理中であるか否かに関わらず、新たな通信情報を取得すると（ステップＳ２１）、ローカル情報管理サーバ１０３による更新処理の開始、継続または終了を判断する（ステップＳ２３およびステップＳ２６）。
【０１１６】
（ｂ−２）更新処理の開始判断処理の変形例１
図６は、本発明の実施の形態に係るローカルネットワークシステムにおける、ローカル情報の更新処理の開始を判断する際の動作手順（変形例１）を示すシーケンス図である。
【０１１７】
ネットワーク管理サーバ１０１は、現在時刻および通信情報を用いて、ローカル情報の更新処理の開始を判断してもよい。
【０１１８】
具体的には、図６を参照して、まず、ネットワーク管理サーバ１０１は、たとえば自己の有するタイマを確認して、ローカル情報の更新処理を開始すべき時刻である更新開始時刻を検出する（ステップＳ３１）。この更新開始時刻は、たとえば、避難所である建物６０１内に居る人の活動が少なくなる時間帯、すなわち内部ネットワーク４０１において通信を行う無線端末装置１６２の数が継続して少なくなる時間帯に含まれる時刻であり、管理者等により予め設定されている。
【０１１９】
そして、ネットワーク管理サーバ１０１は、更新開始時刻を検出すると、通信情報を取得する（ステップＳ３２）。
【０１２０】
次に、ネットワーク管理サーバ１０１は、たとえば、取得した通信情報の示す外部ネットワーク４０２への総アクセス数が閾値未満であるか否かを確認する（ステップＳ３３）。そして、ネットワーク管理サーバ１０１は、外部ネットワーク４０２への総アクセス数が閾値未満である場合（ステップＳ３３で「ＹＥＳ」）、ローカル情報の更新処理中であるか否かを確認する（ステップＳ３４）。
【０１２１】
そして、ネットワーク管理サーバ１０１は、ローカル情報の更新処理中ではない場合（ステップＳ３４で「ＮＯ」）、更新処理を開始することを決定し、データ更新開始要求をローカル情報管理サーバ１０３へ送信する（ステップＳ３５）。
【０１２２】
次に、ローカル情報管理サーバ１０３は、ネットワーク管理サーバ１０１からデータ更新開始要求を受信すると、ゲートウェイ１０４経由で外部ネットワーク４０２からデータを受信し、受信したデータを記憶装置１０５に保存する更新処理を行う（ステップＳ３６）。
【０１２３】
一方、ネットワーク管理サーバ１０１は、外部ネットワーク４０２への総アクセス数が閾値未満の場合であって（ステップＳ３３で「ＹＥＳ」）、ローカル情報の更新処理中であるとき（ステップＳ３４で「ＹＥＳ」）、データ更新開始要求の送信は行わず、次の更新開始時刻まで待機する（ステップＳ３１）。
【０１２４】
また、ネットワーク管理サーバ１０１は、外部ネットワーク４０２への総アクセス数が閾値以上である場合（ステップＳ３３で「ＮＯ」）、データ更新開始要求の送信は行わず、次の更新開始時刻まで待機する（ステップＳ３１）。
【０１２５】
次に、ネットワーク管理サーバ１０１は、たとえばタイマを確認して、ローカル情報の更新処理を終了すべき時刻である更新終了時刻を検出する（ステップＳ３７）。この更新終了時刻は、たとえば、避難所である建物６０１内に居る人の活動が活発になる時間帯、すなわち内部ネットワーク４０１において通信を行う無線端末装置１６２の数が増加する時間帯に含まれる時刻であり、管理者等により予め設定されている。
【０１２６】
そして、ネットワーク管理サーバ１０１は、更新終了時刻を検出すると、ローカル情報の更新処理中であるか否かを確認する（ステップＳ３８）。
【０１２７】
そして、ネットワーク管理サーバ１０１は、ローカル情報の更新処理中である場合（ステップＳ３８で「ＹＥＳ」）、更新処理を終了することを決定し、データ更新終了要求をローカル情報管理サーバ１０３へ送信する（ステップＳ３９）。
【０１２８】
次に、ローカル情報管理サーバ１０３は、ネットワーク管理サーバ１０１からデータ更新終了要求を受信すると、ローカル情報の更新処理を終了する（ステップＳ４０）。
【０１２９】
一方、ネットワーク管理サーバ１０１は、ローカル情報の更新処理中ではない場合（ステップＳ３８で「ＮＯ」）、データ更新終了要求の送信は行わず、次の更新開始時刻まで待機する（ステップＳ３１）。
【０１３０】
また、ネットワーク管理サーバ１０１は、更新終了時刻検出のためのタイマ監視と並行して通信情報を取得する（ステップＳ４１）。
【０１３１】
そして、ネットワーク管理サーバ１０１は、たとえば、取得した通信情報の示す外部ネットワーク４０２への総アクセス数が閾値未満であるか否かを確認する（ステップＳ４２）。そして、ネットワーク管理サーバ１０１は、外部ネットワーク４０２への総アクセス数が閾値未満ではない場合（ステップＳ４２で「ＮＯ」）、ローカル情報の更新処理中であるか否かを確認する（ステップＳ３８）。
【０１３２】
そして、ネットワーク管理サーバ１０１は、ローカル情報の更新処理中である場合（ステップＳ３８で「ＹＥＳ」）、更新処理を終了することを決定し、データ更新終了要求をローカル情報管理サーバ１０３へ送信する（ステップＳ３９）。
【０１３３】
次に、ローカル情報管理サーバ１０３は、ネットワーク管理サーバ１０１からデータ更新終了要求を受信すると、ローカル情報の更新処理を終了する（ステップＳ４０）。
【０１３４】
一方、ネットワーク管理サーバ１０１は、外部ネットワーク４０２への総アクセス数が閾値未満である場合（ステップＳ４２で「ＹＥＳ」）、更新終了時刻検出のためのタイマ監視および通信情報の取得を継続する（ステップＳ３７およびステップＳ４１）。
【０１３５】
（ｂ−３）更新処理の開始判断処理の変形例２
図７は、本発明の実施の形態に係るローカルネットワークシステムにおける、ローカル情報の更新処理の開始を判断する際の動作手順（変形例２）を示すシーケンス図である。
【０１３６】
ネットワーク管理サーバ１０１は、現在時刻のみを用いて、ローカル情報の更新処理の開始を判断してもよい。
【０１３７】
具体的には、図７を参照して、まず、ネットワーク管理サーバ１０１は、たとえばタイマを確認して、更新開始時刻を検出する（ステップＳ５１）。そして、ネットワーク管理サーバ１０１は、更新開始時刻を検出すると、データ更新開始要求をローカル情報管理サーバ１０３へ送信する（ステップＳ５２）。
【０１３８】
そして、ローカル情報管理サーバ１０３は、ネットワーク管理サーバ１０１からデータ更新開始要求を受信すると、ローカル情報の更新処理を開始する（ステップＳ５３）。
【０１３９】
次に、ネットワーク管理サーバ１０１は、たとえばタイマを確認して、更新終了時刻を検出する（ステップＳ５４）。そして、ネットワーク管理サーバ１０１は、更新終了時刻を検出すると、データ更新終了要求をローカル情報管理サーバ１０３へ送信する（ステップＳ５５）。そして、ローカル情報管理サーバ１０３は、ネットワーク管理サーバ１０１からデータ更新終了要求を受信すると、ローカル情報の更新処理を終了する（ステップＳ５６）。
【０１４０】
（ｃ−１）更新処理
図８は、本発明の実施の形態に係るローカルネットワークシステムのローカル情報管理サーバにおけるテーブル記憶部に記憶されているテーブルの一例を示す図である。また、図９は、ローカル情報管理サーバによる更新処理の動作手順の一例を示すシーケンス図である。
【０１４１】
図８を参照して、テーブル記憶部３２に記憶されているテーブルＴ１には、たとえば、キーワード「震災」、「復旧」、「安否」、・・・が含まれ、検索数が多い方から順に、「震災」には優先度「１」が付与され、「復旧」には優先度「２」が付与され、「安否」には優先度「３」が付与されている。
【０１４２】
このような場合において、図９に示すように、まず、ローカル情報管理サーバ１０３は、データ更新開始要求を受信すると（ステップＳ６１）、自己のテーブル記憶部３２に記憶されているテーブルＴ１を参照する（ステップＳ６２）。
【０１４３】
そして、ローカル情報管理サーバ１０３は、テーブルＴ１に含まれているキーワードのうち、優先度の最も高いキーワードである「震災」を抽出し、抽出した「震災」を含む情報を、ローカル情報として保存すべき情報として決定する（ステップＳ６３）。
【０１４４】
次に、ローカル情報管理サーバ１０３は、「震災」を含む情報を外部ネットワーク４０２に要求する（ステップＳ６４）。そして、外部ネットワーク４０２は、記憶装置５０１に保存されている外部データの中から「震災」というキーワードを含む情報を抽出し、抽出した情報をローカル情報管理サーバ１０３へ送信する（ステップＳ６５）。そして、ローカル情報管理サーバ１０３は、外部ネットワーク４０２から受信した「震災」というキーワードを含む情報を、ローカル情報として記憶装置１０５に保存する（ステップＳ６６）。
【０１４５】
次に、ローカル情報管理サーバ１０３は、テーブルＴ１に含まれている全てのキーワードについて、情報の保存を行ったか否かを確認する（ステップＳ６７）。
【０１４６】
ローカル情報管理サーバ１０３は、たとえば、キーワードである「復旧」および「安否」について情報の保存が行われてない場合（ステップＳ６７で「ＮＯ」）、情報の保存が行われていないキーワードのうち優先度の最も高いキーワード、すなわち「復旧」を抽出する。そして、ローカル情報管理サーバ１０３は、抽出した「復旧」を含む情報をローカル情報として保存すべき情報として決定し（ステップＳ６３）、「復旧」を含む情報を外部ネットワーク４０２に要求する（ステップＳ６４）。
【０１４７】
そして、外部ネットワーク４０２は、記憶装置５０１に保存されている外部データの中から「復旧」というキーワードを含む情報を抽出し、抽出した情報をローカル情報管理サーバ１０３へ送信する（ステップＳ６５）。そして、ローカル情報管理サーバ１０３は、外部ネットワーク４０２から受信した「復旧」というキーワードを含む情報を、ローカル情報として記憶装置１０５に保存する（ステップＳ６６）。
【０１４８】
また、ローカル情報管理サーバ１０３は、上記のように「復旧」というキーワードを含む情報の記憶装置１０５への保存を行うと、「安否」というキーワードを含む情報についても同様に、外部ネットワーク４０２への要求および外部ネットワーク４０２から受信した情報の記憶装置１０５への保存を行う。
【０１４９】
そして、ローカル情報管理サーバ１０３は、このようにしてテーブルＴ１に含まれている全てのキーワードについて情報の保存を行うと（ステップＳ６７で「ＹＥＳ」）、ローカル情報の更新処理を終了する（ステップＳ６８）。
【０１５０】
（ｃ−２）更新処理の変形例１
図１０は、本発明の実施の形態に係るローカルネットワークシステムのローカル情報管理サーバにおけるテーブル記憶部に記憶されているテーブルの一例を示す図である。
【０１５１】
テーブル記憶部３２に記憶されているテーブルには、建物６０１内に居る人が無線端末装置１６２を用いて検索したキーワードの代わりに、たとえば、無線端末装置１６２のアクセス先であるサイトのＵＲＬが含まれていてもよい。
【０１５２】
具体的には、図１０に示すように、テーブル記憶部３２に記憶されているテーブルＴ２には、たとえば、「サイトＡ」のＵＲＬ、「サイトＢ」のＵＲＬ、「サイトＣ」のＵＲＬ、・・・が含まれ、アクセス数が多い方から順に、「サイトＡ」のＵＲＬには優先度「１」が付与され、「サイトＢ」のＵＲＬには優先度「２」が付与され、「サイトＣ」のＵＲＬには優先度「３」が付与されている。
【０１５３】
このような場合、ローカル情報管理サーバ１０３は、優先度の高いサイトの情報から順にローカル情報として記憶装置１０５に保存されるように、更新処理を行う。
【０１５４】
より詳細には、まず、ローカル情報管理サーバ１０３は、「サイトＡ」の情報を外部ネットワーク４０２から受信し、ローカル情報として記憶装置１０５に保存する。次に、ローカル情報管理サーバ１０３は、「サイトＢ」の情報を外部ネットワーク４０２から受信し、ローカル情報として記憶装置１０５に保存する。そして、ローカル情報管理サーバ１０３は、「サイトＣ」の情報を外部ネットワーク４０２から受信し、ローカル情報として記憶装置１０５に保存する。
【０１５５】
（ｃ−３）更新処理の変形例２
図１１は、本発明の実施の形態に係るローカルネットワークシステムのローカル情報管理サーバにおけるテーブル記憶部に記憶されているテーブルの一例を示す図である。また、図１２は、ローカル情報管理サーバによる更新処理の動作手順の一例を示すシーケンス図である。
【０１５６】
テーブル記憶部３２に記憶されているテーブルには、建物６０１内に居る人が無線端末装置１６２を用いて検索したキーワードと、無線端末装置１６２のアクセス先であるサイトのＵＲＬとの双方が含まれていてもよい。
【０１５７】
具体的には、図１１を参照して、テーブル記憶部３２は、たとえば、テーブルＴ１およびテーブルＴ２を記憶している。テーブルＴ１には、キーワード「震災」、「復旧」、「安否」、・・・が含まれ、検索数が多い方から順に、「震災」には優先度「１」が付与され、「復旧」には優先度「２」が付与され、「安否」には優先度「３」が付与されている。また、テーブルＴ２には、「サイトＡ」のＵＲＬ、「サイトＢ」のＵＲＬ、「サイトＣ」のＵＲＬ、・・・が含まれ、アクセス数が多い方から順に、「サイトＡ」のＵＲＬには優先度「１」が付与され、「サイトＢ」のＵＲＬには優先度「２」が付与され、「サイトＣ」のＵＲＬには優先度「３」が付与されている。
【０１５８】
このような場合において、図１２に示すように、まず、ローカル情報管理サーバ１０３は、データ更新開始要求を受信すると（ステップＳ７１）、自己のテーブル記憶部３２に記憶されているテーブルＴ１およびテーブルＴ２を参照する（ステップＳ７２）。
【０１５９】
そして、ローカル情報管理サーバ１０３は、テーブルＴ２に記憶されているサイトのＵＲＬのうちアクセス数が上位のサイトのＵＲＬ、具体的には、「サイトＡ」のＵＲＬ、「サイトＢ」のＵＲＬ、および、「サイトＣ」のＵＲＬを抽出する（ステップＳ７３）。
【０１６０】
次に、ローカル情報管理サーバ１０３は、抽出した各サイトの情報について、テーブルＴ１に記憶されているキーワードを用いて、ローカル情報の更新処理において受信対象とすべきであるか否かを判断する。
【０１６１】
たとえば、「サイトＡ」および「サイトＢ」の情報には、テーブルＴ１に含まれているキーワード「震災」、「復旧」、「安否」、・・・のうちのいずれかが含まれているとする。この場合、ローカル情報管理サーバ１０３は、「サイトＡ」の情報および「サイトＢ」の情報は受信対象とすべきであると判断する。
【０１６２】
一方、「サイトＣ」の情報には、テーブルＴ１に含まれているキーワード「震災」、「復旧」、「安否」、・・・のいずれも含まれていないとする。この場合、ローカル情報管理サーバ１０３は、「サイトＣ」の情報は受信対象とすべきではないと判断する（ステップＳ７４）。
【０１６３】
次に、ローカル情報管理サーバ１０３は、受信対象とすべきであると判断したサイトの情報、具体的には「サイトＡ」および「サイトＢ」の情報の各々に含まれるキーワードに基づいて、これらのサイトのＵＲＬに優先度を付与する。
【０１６４】
ここでは、「サイトＡ」の情報には、テーブルＴ１において優先度「２」が付与されたキーワードである「復旧」が含まれ、「サイトＢ」の情報には、優先度「１」が付与されたキーワードである「震災」が含まれているとする。この場合、ローカル情報管理サーバ１０３は、「サイトＢ」のＵＲＬに優先度「１」を付与し、「サイトＡ」のＵＲＬに優先度「２」を付与する（ステップＳ７５）。
【０１６５】
次に、ローカル情報管理サーバ１０３は、テーブルＴ２に含まれる複数のサイトのＵＲＬを、新たに付与した優先度に基づいて並べ替える。すなわち、ローカル情報管理サーバ１０３は、「サイトＡ」のＵＲＬと「サイトＢ」のＵＲＬとの順番を並べ替える（ステップＳ７６）。また、ローカル情報管理サーバ１０３は、受信対象とすべきではないと判断したサイトのＵＲＬ、具体的には「サイトＣ」のＵＲＬを、テーブルＴ２から削除する（ステップＳ７７）。
【０１６６】
このようにして、テーブルＴ２に含まれるサイトのＵＲＬの並べ替え、および、受信対象とすべきではないサイトのＵＲＬの削除を行った後のテーブルを、テーブルＴ３とする。
【０１６７】
次に、ローカル情報管理サーバ１０３は、テーブルＴ３を参照し（ステップＳ７８）、新たに付与した優先度に従い保存すべき情報を決定する。すなわち、ローカル情報管理サーバ１０３は、「サイトＢ」の情報、「サイトＡ」の情報の順で優先的に記憶装置１０５に保存する。
【０１６８】
ステップＳ７９からステップＳ８４までの動作は、図９に示すステップＳ６３からステップＳ６８までの動作と同様であるため、ここでの詳細な説明は繰り返さない。
【０１６９】
なお、ローカル情報管理サーバ１０３は、ステップＳ７１からステップＳ７７までの動作を、データ更新開始要求を受信する前に行ってもよい。
【０１７０】
また、ローカル情報管理サーバ１０３は、キーワードの検索数またはサイトのアクセス数に限らず、たとえば、記憶装置５０１に保存されている外部データの種類、具体的には動画であるのか、または、テキストデータであるのかなどに応じて、記憶装置１０５に優先的に保存する情報を決定してもよい。
【０１７１】
ところで、災害が発生した場合、被災地外の人が安否情報を必要とする一方で、被災地に居る人も交通インフラ等の各種情報を必要とする場合が多い。しかしながら、避難所等の限られた空間内に多くの人が集まり、これら多くの人がそれぞれ端末装置等を用いて外部ネットワークへアクセスする場合、避難所等の建物内に設けられた内部ネットワークにおいて輻輳が発生し、外部ネットワークへのアクセスが制限され、情報を取得することができない可能性がある。また、災害により通信設備が破損することもあり、避難所等の建物内に居る人への安定した情報提供が一層困難となることがある。
【０１７２】
これに対して、本発明の実施の形態に係るローカルネットワークシステム３０１では、ネットワーク管理サーバ１０１の通信情報取得部２１が、建物６０１内の内部ネットワーク４０１における通信状況に関する通信情報を取得する。ローカル情報管理サーバ１０３の情報更新部３３が、建物６０１外の外部ネットワーク４０２から情報を取得し、取得した情報を、内部ネットワーク４０２に接続された無線端末装置１６２が外部ネットワーク４０２を介さずにアクセス可能な記憶装置１０５、にローカル情報として保存する更新処理を行う。そして、更新判断部２３が、情報更新部３３による更新処理の開始を、通信情報取得部２１によって取得された通信情報に基づいて判断する。
【０１７３】
このように、外部ネットワーク４０２から取得された情報をローカル情報として記憶装置１０５に保存しておく構成により、外部ネットワーク４０２へのアクセスが制限されている状況であっても、記憶装置１０５に保存された情報を建物内に居る人へ提供することができる。また、記憶装置１０５に保存される情報が更新される構成により、災害の状況を示す情報等、時系列的に変化する可能性のある情報を建物内に居る人へ提供することができる。
【０１７４】
さらに、上記通信情報に基づいて更新処理の開始を判断する構成により、内部ネットワーク４０１における通信状況に応じた適切なタイミングで更新処理を開始することができるため、内部ネットワーク４０１の通信の安定化を図り、建物６０１内に居る人へ安定して情報提供を行うことができる。
【０１７５】
また、本発明の実施の形態に係るローカルネットワークシステム３０１では、通信情報取得部２１は、内部ネットワーク４０１から外部ネットワーク４０２へのアクセスに関する通信情報を取得する。
【０１７６】
このような構成により、たとえば、内部ネットワーク４０１に接続されている無線端末装置１６２から外部ネットワーク４０２へのアクセスを優先し、このようなアクセスの通信量が少ないときに更新処理を行うことにより、建物６０１内に居る人の外部ネットワーク４０２へのアクセスが更新処理に起因して制限されることを防ぐことができる。
【０１７７】
また、本発明の実施の形態に係るローカルネットワークシステム３０１では、更新判断部２３は、現在時刻および通信情報に基づいて、更新処理の開始を判断する。
【０１７８】
このように、通信情報に加えて現在時刻を用いて更新処理の開始を判断する構成により、一時的に通信量が少なくなっただけの状況において更新処理が開始されることを避け、夜間など通信量が継続的に少ない時間帯に更新処理を行うことができる。
【０１７９】
また、本発明の実施の形態に係るローカルネットワークシステム３０１では、情報更新部３３は、所定の単語を含む情報をローカル情報として記憶装置１０５に優先的に保存する。
【０１８０】
このような構成により、必要性の高い情報を優先的に記憶装置１０５に保存しておくことができる。また、関連性の高い単語を含む各種情報を外部ネットワーク４０２からまとめて受信し、記憶装置１０５へ保存しておくことができる。
【０１８１】
また、本発明の実施の形態に係るローカルネットワークシステム３０１では、情報更新部３３は、無線端末装置１６２からのアクセス数の多い情報をローカル情報として記憶装置１０５に優先的に保存することができる。
【０１８２】
このような構成により、建物６０１内の人が実際に取得している情報を必要性の高い情報として優先的に記憶装置１０５に保存しておくことができる。
【０１８３】
また、本発明の実施の形態に係るローカルネットワークシステム３０１では、ネットワーク管理サーバ１０１のアクセス制御部２２が、無線端末装置１６２から外部ネットワーク４０２へのアクセスを許可するか否かを判断する。
【０１８４】
このような構成により、内部ネットワーク４０１における通信量および更新処理の最適な制御が可能となる。
【０１８５】
また、本発明の実施の形態に係るローカルネットワークシステム３０１では、アクセス制御部２２は、無線端末装置１６２から外部ネットワーク４０２へのアクセスを許可せず、かつ無線端末装置１６２のアクセス対象となる対象情報が記憶装置１０５に保存されている場合、記憶装置１０５における対象情報を端末装置に取得させる処理を行うことができる。
【０１８６】
このような構成により、たとえば更新処理中であるために外部ネットワーク４０２へのアクセスが許可されなかった無線端末装置１６２であっても、アクセス対象である対象情報を取得することができる。
【０１８７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１８８】
以上の説明は、以下に付記する特徴を含む。
【０１８９】
［付記１］
建物内の内部ネットワークにおける通信状況に関する通信情報を取得する通信情報取得部と、
前記建物外の外部ネットワークから情報を取得し、取得した情報を、前記内部ネットワークに接続された端末装置が前記外部ネットワークを介さずにアクセス可能な記憶装置、にローカル情報として保存する更新処理を行う情報更新部、による前記更新処理の開始を、前記通信情報取得部によって取得された前記通信情報に基づいて判断する更新判断部とを備え、
前記建物は、災害時における避難所であり、
前記ローカル情報は、Ｗｅｂサイト、ニュース、および、他の建物における安否確認用の情報、のうち少なくともいずれか１つを含む情報である、情報管理装置。
【０１９０】
［付記２］
建物内の内部ネットワークにおける通信状況に関する通信情報を取得するネットワーク管理装置と、
前記建物外の外部ネットワークから情報を取得し、取得した情報を、前記内部ネットワークに接続された端末装置が前記外部ネットワークを介さずにアクセス可能な記憶装置、にローカル情報として保存する更新処理を行うローカル情報管理装置とを備え、
前記ネットワーク管理装置は、取得した前記通信情報に基づいて、前記更新処理の開始を指示するためのデータ更新開始要求を前記ローカル情報管理装置へ送信し、
前記ローカル情報管理装置は、前記データ更新開始要求を受信して、前記更新処理を開始し、
前記建物は、災害時における避難所であり、
前記ローカル情報は、Ｗｅｂサイト、ニュース、および、他の建物における安否確認用の情報、のうち少なくともいずれか１つを含む情報である、ローカルネットワークシステム。
【符号の説明】
【０１９１】
２１  通信情報取得部
２２  アクセス制御部
２３  更新判断部
３１  情報提供部
３２  テーブル記憶部
３３  情報更新部
１０１  ネットワーク管理サーバ（ネットワーク管理装置または情報管理装置）
１０３  ローカル情報管理サーバ（ローカル情報管理装置）
１０４  ゲートウェイ
１０５  記憶装置
１５１  アクセスポイント
１６２  無線端末装置
３０１  ローカルネットワークシステム
４０１  内部ネットワーク
４０２  外部ネットワーク
５０１  記憶装置
６０１  建物
【図１】
2015104009.tif 000003
【図２】
2015104009.tif 000004
【図３】
2015104009.tif 000005
【図４】
2015104009.tif 000006
【図５】
2015104009.tif 000007
【図６】
2015104009.tif 000008
【図７】
2015104009.tif 000009
【図８】
2015104009.tif 000010
【図９】
2015104009.tif 000011
【図１０】
2015104009.tif 000012
【図１１】
2015104009.tif 000013
【図１２】
2015104009.tif 000014